(57)【特許請求の範囲】
【請求項１】
多チャンネルのデジタル放送信号を送信する送信装置に、チャンネルを構成する素材ベースバンド信号を提供する信号処理装置において、
各チャンネルの運行情報に基づいて、各チャンネル分のルーティング経路を管理する管理手段と、
前記管理手段により管理される前記ルーティング経路で提供される素材ベースバンド信号を、送信装置に送信する送信手段と
を備え、
前記管理手段は、
前記各チャンネルの運行情報に基づいて、ルーティング経路を管理するチャンネルを認知するとともに、そのチャンネルに提供すべき素材ベースバンド信号が本編素材のベースバンド信号であるか、組み込み素材のベースバンド信号であるかを判定する判定手段と、
各チャンネル毎に設けられたノードの中の、ルーティング経路を管理すると認知されたチャンネルに対応するノードに、前記判定手段により判定されたチャンネルに提供すべき素材ベースバンド信号が格納されているサーバの識別情報と、前記サーバに格納されている素材ベースバンド信号を送信手段に供給できるスイッチャの識別情報を設定する設定手段と
を備え、
前記送信手段は、前記ノードに識別情報が設定されたスイッチャにより供給された前記素材ベースバンド信号を、前記チャンネルを構成する素材として前記送信装置に送信する
ことを特徴とする信号処理装置。
【請求項２】
前記スイッチャは、ルーティング経路毎に設けられている
ことを特徴とする請求項１に記載の信号処理装置。
【請求項３】
前記判定手段、前記設定手段、および前記ノードは、１つの装置を構成し、前記ノード、前記スイッチャ、および前記送信手段は、所定の制御線に接続されている
ことを特徴とする請求項１に記載の信号処理装置。
【請求項４】
多チャンネルのデジタル放送信号を送信する送信装置に、チャンネルを構成する素材ベースバンド信号を提供する信号処理方法において、
各チャンネルの運行情報に基づいて、各チャンネル分のルーティング経路を管理する管理ステップと、
前記管理ステップの処理で管理される前記ルーティング経路で提供される素材ベースバンド信号を、送信装置に送信する送信ステップと
を含み、
前記管理ステップは、
前記各チャンネルの運行情報に基づいて、ルーティング経路を管理するチャンネルを認知するとともに、そのチャンネルに提供すべき素材ベースバンド信号が本編素材のベースバンド信号であるか、組み込み素材のベースバンド信号であるかを判定する判定ステップと、
各チャンネル毎に設けられたノードの中の、ルーティング経路を管理すると認知されたチャンネルに対応するノードに、前記判定ステップの処理で判定されたチャンネルに提供すべき素材ベースバンド信号が格納されているサーバの識別情報と、前記サーバに格納されている素材ベースバンド信号を送信ステップの処理に入力できるスイッチャの識別情報を設定する設定ステップと
を含み、
前記送信ステップは、前記ノードに識別情報が設定されたスイッチャにより入力された前記素材ベースバンド信号を、前記チャンネルを構成する素材として前記送信装置に送信する
ことを特徴とする信号処理方法。
【発明の詳細な説明】
【０００１】
【発明の属する技術分野】
本発明は、信号処理装置および方法に関し、特に、例えば、デジタルテレビジョン放送において、多チャンネル放送におけるルーティング経路の変更を容易にした信号処理装置および方法に関する。
【０００２】
【従来の技術】
テレビジョン放送において、例えば、本編番組にコマーシャルメッセージ（以下ＣＭと略称する）を組み込むとき、またはライブ素材（収録されていない素材）に、収録された別の番組素材を組み込むとき、その素材の提供元、例えば、サーバを切り換える（ルーテイング経路を変更する）必要がある。
【０００３】
アナログ放送の場合、放送事業者（番組供給者）が提供するチャンネルは基本的に１つであり、放送事業者は、その１チャンネルで行われるルーテイング経路の変更を管理するだけでよいが、MPEG2(Moving Picture Experts Group Phase2)に代表される符号化方式による衛星放送、例えば、北米のDirectTv、日本国内のPerfectTvおよびJSkyBなどでは、多チャンネル放送が可能とされており、この場合、通常、放送事業者は、番組供給者と異なり、多くのチャンネルで行われるルーテイング経路の変更を管理する必要がある。
【０００４】
図５は、従来のデジタルテレビジョン放送の構成例を示し、これを用いて、従来のルーテング経路の変更管理について説明する。
【０００５】
ベースバンドシステム６０は、主に、素材サーバ６１−１乃至６１−１８、プロモーションサーバ６２−１乃至６２−５、およびスイッチャ６３で構成されており、素材サーバ６１（以下、素材サーバ６１−１乃至６１−１８を、個々に区別する必要がない場合、単に素材サーバ６１と記述する。他の装置においても同様である。）は、本編素材を格納し、プロモーションサーバ６２は、ＣＭ素材およびプロモーション素材を格納しており、それぞれ格納してある素材を、スイッチャ６３に送出するようになされている。
【０００６】
スイッチャ６３は、入力スイッチ６４−１乃至６４−２３と、出力スイッチ６５−１乃至６５−６０で構成されている。入力スイッチ６４−１乃至６４−２３は、素材サーバ６１とプロモーションサーバ６２に対応して接続され、素材サーバ６１とプロモーションサーバ６２からの素材が入力される。出力スイッチ６５は、チャンネルごとに（いまの場合６０チャンネルが存在するものとする）設けられ、それぞれプロセッシングシステム７０に接続され、入力スイッチ６４に入力された情報をプロセッシングシステム７０に供給するようになされている。つまり、例えば、入力スイッチ６４−１と出力スイッチ６５−２が接続されることにより、素材サーバ６１−１に格納されている本編素材がチャンネル２に供給される。
【０００７】
プロセッシングシステム７０は、ベースバンドシステム６０から送信された情報と他の所定の情報を、チャンネルごとに多重化し、ＩＦシステム７１に送信する。ＩＦシステム７１は、プロセッシングシステム７０から送信された多重化信号を、QPSK変調してＩＦ信号に変換し、さらにＲＦ信号に変換して、図示せぬ衛星に伝送するようになされている。
【０００８】
このようなデジタルテレビジョン放送において、例えば、素材サーバ６１−１からの本編素材が供給されているチャンネル１（入力スイッチ６４−１と出力スイッチ６５−１が接続されている状態）に、プロモーションサーバ６２−１に格納されているＣＭ素材を挟み込む場合、ルーテイング経路を変更する必要がある。このとき、オペレータは、番組運行情報に基づいて、入力スイッチ６４−１をオフにし、入力スイッチ６４−１９をオンして、それを出力スイッチ６５−１に接続する。また、再び、本編に戻るとき、オペレータが入力スイッチ６４−１９をオフにし、入力スイッチ６４−１をオンにして、出力スイッチ６５−１に接続する。このように、オペレータが、番組運行情報に基づいて、スイッチャ６３を操作し、１つ１つのチャンネルで行われるルーテング経路の変更を管理している。
【０００９】
【発明が解決しようとする課題】
このように、オペレータが手作業で、例えば、１００チャンネルを超える多チャンネル放送において、ルーテイング経路の変更を管理することは、多大な手間を要し、管理が困難となる。
【００１０】
本発明はこのような状況に鑑みてなされたものであり、特に、１つのネットワークを介して、チャンネルのルーテイング経路を制御することより、多チャンネル放送におけるルーテイング経路の変更管理を容易にするものである。
【００１１】
【課題を解決するための手段】
請求項１に記載の信号処理装置は、各チャンネルの運行情報に基づいて、各チャンネル分のルーティング経路を管理する管理手段と、管理手段により管理されるルーティング経路で提供される素材ベースバンド信号を、送信装置に送信する送信手段とを備え、管理手段は、各チャンネルの運行情報に基づいて、ルーティング経路を管理するチャンネルを認知するとともに、そのチャンネルに提供すべき素材ベースバンド信号が本編素材のベースバンド信号であるか、組み込み素材のベースバンド信号であるかを判定する判定手段と、各チャンネル毎に設けられたノードの中の、ルーティング経路を管理すると認知されたチャンネルに対応するノードに、判定手段により判定されたチャンネルに提供すべき素材ベースバンド信号が格納されているサーバの識別情報と、サーバに格納されている素材ベースバンド信号を送信手段に供給できるスイッチャの識別情報を設定する設定手段とを備え、送信手段は、ノードに識別情報が設定されたスイッチャにより供給された素材ベースバンド信号を、チャンネルを構成する素材として送信装置に送信することを特徴とする。
【００１２】
請求項４に記載の信号処理方法は、各チャンネルの運行情報に基づいて、各チャンネル分のルーティング経路を管理する管理ステップと、管理ステップの処理で管理されるルーティング経路で提供される素材ベースバンド信号を、送信装置に送信する送信ステップとを含み、管理ステップは、各チャンネルの運行情報に基づいて、ルーティング経路を管理するチャンネルを認知するとともに、そのチャンネルに提供すべき素材ベースバンド信号が本編素材のベースバンド信号であるか、組み込み素材のベースバンド信号であるかを判定する判定ステップと、各チャンネル毎に設けられたノードの中の、ルーティング経路を管理すると認知されたチャンネルに対応するノードに、判定ステップの処理で判定されたチャンネルに提供すべき素材ベースバンド信号が格納されているサーバの識別情報と、サーバに格納されている素材ベースバンド信号を送信ステップの処理に入力できるスイッチャの識別情報を設定する設定ステップとを含み、送信ステップは、ノードに識別情報が設定されたスイッチャにより入力された素材ベースバンド信号を、チャンネルを構成する素材として送信装置に送信することを特徴とする。
【００１３】
請求項１に記載の信号処理装置および請求項４に記載の信号処理方法においては、各チャンネルの運行情報に基づいて、各チャンネル分のルーティング経路が管理され、管理されるルーティング経路で提供される素材ベースバンド信号が、送信装置に送信される。各チャンネルの運行情報に基づいて、ルーティング経路を管理するチャンネルが認知されるとともに、そのチャンネルに提供すべき素材ベースバンド信号が本編素材のベースバンド信号であるか、組み込み素材のベースバンド信号であるかが判定され、各チャンネル毎に設けられたノードの中の、ルーティング経路を管理すると認知されたチャンネルに対応するノードに、チャンネルに提供すべき判定された素材ベースバンド信号が格納されているサーバの識別情報と、サーバに格納されている素材ベースバンド信号を送信ステップに入力できるスイッチャの識別情報が設定される。ノードに識別情報が設定されたスイッチャにより入力された素材ベースバンド信号が、チャンネルを構成する素材として送信装置に送信される。
【００１５】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１６】
請求項１に記載の信号処理装置は、各チャンネルの運行情報に基づいて、各チャンネル分のルーティング経路を管理する管理手段（例えば、図３のBCS２０、スイッチャ３１）と、管理手段により管理されるルーティング経路で提供される素材ベースバンド信号を、送信装置に送信する送信手段（例えば、図３のRCC３３）とを備え、管理手段は、各チャンネルの運行情報に基づいて、ルーティング経路を管理するチャンネルを認知するとともに（例えば、図４のステップＳ３）（段落番号［００４２］参照）、そのチャンネルに提供すべき素材ベースバンド信号が本編素材（例えば、本編番組）（段落番号［０００２］参照）のベースバンド信号であるか、組み込み素材（例えば、CM）（段落番号［０００２］参照）のベースバンド信号であるかを判定する判定手段（例えば、図４のステップＳ４の処理を行う図３のBCS２０のコンピュータ２１）（段落番号［００４２］参照）と、各チャンネル毎に設けられたノードの中の、ルーティング経路を管理すると認知されたチャンネルに対応するノード（例えば、図３のノード２１−１）に、判定手段により判定されたチャンネルに提供すべき素材ベースバンド信号が格納されているサーバ（例えば、図３の素材サーバ４１）の識別情報と、サーバに格納されている素材ベースバンド信号を送信手段に供給できるスイッチャ（例えば、図３のスイッチャ３１）の識別情報を設定する設定手段（例えば、図４のステップＳ５、ステップＳ８の処理を行う図３のBCS２０のコンピュータ２１）（段落番号［００４３］，［００４７］参照）とを備え、送信手段は、ノードに識別情報が設定されたスイッチャにより供給された素材ベースバンド信号を、チャンネルを構成する素材として送信装置に送信する（例えば、図４のステップＳ７）ことを特徴とする。
【００１７】
図１は、本発明を適用したデジタル放送システムの構成例を示している。放送番組編成システム（以下BDPS(Broadcast Data Processing System)と略称する）１は、番組供給会社が担当する放送素材（本編素材、ＣＭ素材、およびプロモーション素材）の番組編成表を登録し、管理するとともに、その番組編成表に基づく制御情報を、セントラルプロセッシングシステム３に送信するようになされている。
【００１８】
ベースバンドシステム２は、放送素材そのものを格納し、その放送素材を、ベースバンド信号に変換し、セントラルプロセッシングシステム３から供給される制御情報に基づいて、セントラルプロセッシングシステム３に供給するようになされている。
【００１９】
セントラルプロセッシングシステム３は、BDPS１から送出された制御情報から、顧客管理システム（以下SMS(Subscriber Management System)と略称する）４とベースバンドシステム２に対応する情報を、それぞれ抽出し、SMS４とベースバンドシステム２に供給し、また、BDPS１、ベースバンドシステム２、および顧客視聴許可システム（以下SAS(Subscriber Authorization System)と略称する）５から送出される情報を、図示せぬ衛星の複数のトランスポンダに対応するチェーンごとに多重化し、ＩＦシステム６に送信するようになされている。
【００２０】
ＩＦシステム６は、セントラルプロセッシングシステム３から送信された多重化信号を、QPSK変調してＩＦ信号に変換し、さらにＲＦ信号に変換して、図示せぬ衛星に伝送するようになされている。
【００２１】
SMS４は、顧客登録情報や料金徴収情報などの顧客管理に関する情報を格納するようになされており、SAS５は、SMS４から送出されたEMM（Entitlement Management Message)データを受け取り、そのEMMデータを暗号化し、さらにパケット化し、セントラルプロセッシングシステム３に送出するようになされている。
【００２２】
次に、図２を参照して、BDPS１、ベースバンドシステム２、セントラルプロセッシングシステム３、およびＩＦシステム６との間で取り扱われる情報について説明する。
【００２３】
BDPS１−１乃至１−Ｌは、番組供給会社ごとに設けられ、各番組供給会社が担当する本編素材、ＣＭ素材、およびプロモーション素材の番組編成表を作成して登録、管理している。この番組編成表は、例えば、番組提供会社に関する情報などが記録されているサービス情報ファイル、１時間単位の放送番組のスケジュールなどの情報が記録されているイベント情報ファイル、１５秒単位の放送番組のタイムスケジュールなどの情報が記録されている運行情報ファイル、およびシリーズで放送される番組（数回に分けて放送される番組）に関する情報等が記録されているＰＰＳ情報ファイルに分けられて、セントラルプロセッシングシステム３に供給されるようになされている。
【００２４】
セントラルプロセッシングシステム３は、ネットワークマネージメントデータベース（以下NMD(Network Management Database)と略称する）部１０とプログラムガイドシステム（以下PGS(Program Guide System)と略称する）部１１で構成されており、NMD部１０は、BDPS１−１乃至１−Ｌから送信された情報（サービス情報ファイル、イベント情報ファイル、運行情報ファイル、およびＰＰＳ情報ファイル）を受け取り、保持するとともに、PGS部１１−１乃至１１−Ｍに分配し、また運行情報ファイルをベースバンドシステム２に送信するようになされている。PGS部１１−１乃至１１−Ｍは、NMD部１０から送信された情報と、ベースバンドシステム２から送信されるベースバンド信号を、図示せぬ衛星の複数のトランスポンダに対応するＭ個のチェーンごとに多重化し、ＩＦシステム６に送信するようになされている。
【００２５】
ベースバンドシステム２は、NMD部１０から供給された運行情報ファイルに基づいて、ベースバンド信号に変換した放送素材を、セントラルプロセッシングシステム３のPGS部１１に送信するようになされている。
【００２６】
次に、図３に、ベースバンドシステム２の詳細な構成例を示す。
【００２７】
ベースバンドコントロールサブシステム（以下BCS(Baseband Control Subsystem)と略称する）２０−１乃至２０−Ｎは、コンピュータ２１およびノード２２−１乃至２２−３で構成され、コンピュータ２１は、プロトコルコンバータ機能を有し、トランクLAN２５およびBCS-LAN３０を介して、所定の情報を取り込み、その情報に基づいて、ノード２２−１乃至２２−３に所定の情報を設定するようになされている。ノード２２−１乃至２２−３は、それぞれコンピュータ２１により設定された情報に基づいて、スイッチャ３１−１乃至３１−Ｘのうちいずれかを選択し、SEC-NET-LAN５０を介して、選択されたスイッチャ３１を制御するようになされている。
【００２８】
BCS２０は、トランクLAN２５を介して、BDPS１、NMD部１０、リダンダントBCS３２−１，３２−２、ルータコントロールコンピュータ（以下RCC(Router Control Computer)と略称する）３３、SEC-NETコントローラ３４、およびネットワークタイムプロセス部（以下ＮＴＰ(Network Time Process)と略称する）３５に接続され、BCS-LAN３０を介して、リダンダントBCS３２、RCC３３、素材サーバ４１、およびプロモーションサーバ４２に接続され、SEC-NET-LAN５０を介して、スイッチャ３１、リダンダントBCS３２、RCC３３、SEC-NETコントローラ３４、NTP３５、プロモーションサーバ４２、スタジオ装置５２、NET-CUE-DET５３、およびTCG５４に接続されている。リダンダントBCS３２−１，３２−２は、BCS２０と同様の構成を有し、トランクＬＡＮ２５、BCS-LAN３０、およびSEC-NET-LAN５０に接続され、BCS２０−１乃至２０−Ｎのいずれかが故障した場合、それと入れ代わるようになされている。
【００２９】
スイッチャ３１−１乃至３１−Ｘは、例えばスイッチイング装置で構成され、SEC-NETーLAN５０を介して、BCS２０、リダンダントBCS３２、RCC３３、SEC-NETコントローラ３４、NTP３５、プロモーションサーバ４２、スタジオ装置５２、NET-CUE-DET５３、およびTCG５４に接続され、BCS２０に制御され、素材サーバ４１およびプロモーションサーバ４２に格納されている所定の素材を、RCC３３に送信させるようになされている。
【００３０】
RCC３３は、図示せぬノード、プロトコルコンバータ、コントローラ、およびルータで構成され、トランクLAN２５を介して、BDPS１、NMD部１０、BCS２０、リダンダントBCS３２、SEC-NETコントローラ３４、 およびNTP３５に接続され、BCS-LAN３０を介して、BCS２０、リダンダントBCS３２、素材サーバ４１、およびプロモーションサーバ４２に接続され、SEC-NET-LAN５０を介して、BCS２０、スイッチャ３１、リダンダントBCS３２、SEC-NETコントローラ３４、NTP３５、プロモーションサーバ４２、スタジオ装置５２、NET-CUE-DET５３、およびTCG５４に接続されている。
【００３１】
RCC３３は、SEC-NETコントローラ３４から供給される情報に基づいて、RCC３３を構成する図示せぬルータを制御し、素材サーバ４１またはプロモーションサーバ４２から送信されるベースバンド信号を、選択し、セントラルプロセッシングシステム３に送信するようになされている。
【００３２】
SEC-NETコントローラ３４は、図示せぬノードとコンピュータで構成され、トランクLAN２５を介して、BDPS１、NMD部１０、BCS２０、リダンダントBCS３２、RCC３３、およびNTP３５に接続され、SEC-NET-LAN５０を介して、BCS２０、スイッチャ３１、リダンダントBCS３２、RCC３３、NTP３５、プロモーションサーバ４２、スタジオ装置５２、NET-CUE-DET５３、およびTCG５４に接続されている。
【００３３】
SEC-NETコントローラ３４は、NMD部１０から供給された運行情報ファイルを受け取り、保持するとともに、BCS２０−１乃至２０−ＮおよびRCC３３に供給するようになされている。
【００３４】
NTP３５は、SEC-NET-LAN５０を介して、TCG５４からタイムコードを入手し、それを、トランクLANを２５を介して、BDPS１、NMD部１０、BCS２０、リダンダントBCS３２、RCC３３、およびSEC-NETコントローラ３４に供給し、さらにSEC-NET-LAN５０を介して、BCS２０、スイッチャ３１、リダンダントBCS３２、RCC３３、SEC-NETコントローラ３４、プロモーションサーバ４２、スタジオ装置５２、およびNET-CUE-DET５３に供給するようになされている。例えば、BCS２０やRCC３３は、NTP３５から供給されるタイムコードにより、それぞれ所有する時計を校正する。
【００３５】
素材サーバ４１−１乃至４１−Ｙは、例えばテープ情報伝送装置で構成され、BCS-LAN３０を介して、BCS２０、リダンダントBCS３２、RCC３３、およびプロモーションサーバ４２に接続されており、予めテープに収録された本編素材を格納しているとともに、BCS２０に制御されたスイッチャ３１によって、図示せぬネットワークを介して、格納している素材をRCC３３に送信するようになされている。素材サーバ４１−１乃至４１−Ｙは、BCS２０−１乃至２０−Ｎにそれぞれ対応するように（基本的に１対１になるように）設けられている。
【００３６】
プロモーションサーバ４２−１乃至４２−Ｚは、例えばコンピュータとサーバで構成され、BCS-LAN３０を介して、BCS２０、リダンダントBCS３２、RCC３３、および素材サーバ４１に接続され、SEC-NETーLAN４０を介して、BCS２０、スイッチャ３１、リダンダントBCS３２、RCC３３、SEC-NETコントローラ３４、NTP３５、スタジオ装置５２、NET-CUE-DET５３、およびTCG５４に接続されている。プロモーションサーバ４２は、ＣＭ素材およびプロモーション素材を格納し、BCS２０に制御されたスイッチャ３１によって、図示せぬネットワークを介して、格納している素材をRCC３３に送信するようになされている。
【００３７】
スタジオ装置５２は、例えば信号送信装置で構成され、SEC-NET-LAN５０を介して、BCS２０、スイッチャ３１、リダンダントBCS３２、RCC３３、SEC-NETコントローラ３４、NTP３５、プロモーションサーバ４２、NET-CUE-DET５３、およびTCG５４に接続されている。スタジオ装置５２は、本編素材がライブ素材の場合、そのライブ素材にＣＭ素材またはプロモーション素材を組み込ませるとき、スタジオ装置５２は、所定の信号をBCS２０に送信するようになされている。なお、実際には、スタジオ装置５２は、複数存在するが、図示の簡略化のため、この図においては、１つとしてある。
【００３８】
NET-CUE-DET５３は、例えば信号送信装置で構成され、SEC-NET-LAN５０を介して、BCS２０、スイッチャ３１、リダンダントBCS３２、RCC３３、SEC-NETコントローラ３４、NTP３５、プロモーションサーバ４２、スタジオ装置５２、およびTCG５４に接続されている。NET-CUE-DET５３は、本編素材が回線から入力された素材の場合、その回線から入力された素材にＣＭ素材またはプロモーション素材を組み込ませるとき、NET-CUE-DET５３は、所定の信号をBCS２０に送信するようになされている。なお、NET-CUE-DET５３は、複数存在するが、図示の簡略化のため、この図においては、１つとしてある。
【００３９】
TCG５４は、例えば時計とコンピュータで構成され、SEC-NET-LAN５０に接続されており、タイムコードをNTP３５に供給するようになされている。
【００４０】
次に、ルーテイング経路が確立された状態において、それを変更する場合の処理手順を、図４に示すフロチャートを参照して説明する。
【００４１】
ステップＳ１において、SEC-NETコントローラ３４は、トランクLAN２５を介して、NMD部１０から運行情報ファイルを入手し、ステップＳ２において、SEC-NETコントローラ３４は、SEC-NET-LAN５０を介して、BCS２０−１乃至２０−ＮとRCC３３に、運行情報ファイルを供給する。
【００４２】
次に、ステップＳ３において、BCS２０−１乃至２０−Ｎのコンピュータ２１は、運行情報ファイルに基づいて、ルーテイング経路を管理するチャンネル（以下担当チャンネルと称す）を認知し、ステップＳ４においては、BCS２０のコンピュータ２１は、さらに、その担当チャンネルに提供すべき素材が本編素材であるか、またはＣＭ素材もしくはプロモーション素材であるのかを判定する。ステップＳ４で、担当チャンネルに提供すべき素材が本編素材であると判定された場合、ステップＳ５に進む。
【００４３】
次に、ステップＳ５において、BCS２０のコンピュータ２１は、素材サーバ４１−１乃至４１−Ｘのうち、担当チャンネルに対応する本編素材を格納している素材サーバとそれを制御するスイッチャ３１の識別情報を、例えば、ノード２２−１に設定する。いまの場合、例えば、素材サーバ４１−１が、担当チャンネルに対応する本編素材を格納しており、また、スイッチャ３１−１が素材サーバ４１−１を制御しているものとすると、素材サーバ４１−１とスイッチャ３１−１の識別番号がノード２２−１に設定される。
【００４４】
次に、ステップＳ６において、ステップＳ５で指定されたスイッチャ３１−１は、同様に指定された素材サーバ４１−１から供給されている情報を選択し、ルータ３３Ａに出力する。
【００４５】
次に、ステップＳ７において、RCC３３は内蔵するルータ３３Ａを制御し、ステップＳ２でSEC-NETコントローラ３４から供給された運行情報ファイアルに基づいて、素材サーバ４１−１から送信された本編素材を選択し、セントラルプロセッシングシステム３に送出させる。
【００４６】
以上のようにして、担当チャンネルに本編素材を提供するルーテング経路が確立されるが、その本編素材にＣＭ素材またはプロモーション素材が組み込まれるときは、ルーテイング経路が変更され、ＣＭ素材またはプロモーション素材を提供する別なルーテング経路が確立されなければならない。この場合、ステップＳ４において、BCS２０のコンピュータ２１は、担当チャンネルに提供すべき素材がＣＭ素材またはプロモーション素材であると判定し、ステップＳ８に進む。
【００４７】
ステップＳ８おいて、BCS２０のコンピュータ２１は、プロモーションサーバ４２−１乃至４２−Ｚのうち、担当チャンネルに提供するＣＭ素材またはプロモーション素材が格納されているプロモーションサーバとそれを制御するスイッチャ３１の識別情報を、ノード２２−１に設定する。いまの場合、例えば、プロモーションサーバ４２−１が、担当チャンネルに提供するＣＭ素材またはプロモーション素材を格納しており、また、スイッチャ３１−１がプロモーションサーバ４２−１を制御するものとすると、プロモーションサーバ４２−１とスイッチャ３１−１の識別番号がノート２２−１に設定される。
【００４８】
次に、ステップＳ５において、BCS２０のコンピュータ２１は、素材サーバ４１−１乃至４１−Ｘのうち、担当チャンネルに対応する本編素材を格納している素材サーバとそれを制御するスイッチャ３１の識別情報を、例えば、ノード２２−１に設定する。いまの場合、例えば、素材サーバ４１−１が、担当チャンネルに対応する本編素材を格納しており、また、スイッチャ３１−１が素材サーバ４１−１を制御すると、素材サーバ４１−１とスイッチャ３１−１の識別番号がノード２２−１に設定される。
【００４９】
次に、ステップＳ９において、ステップＳ８で指定されたスイッチャ３１−１は、同様に指定されたプロモーションサーバ４２−１から供給される情報を選択し、ルータ３３Ａに出力する。
【００５０】
次に、ステップＳ７において、RCC３３は図示せぬルータを制御し、ステップＳ２でSEC-NETコントローラから供給された運行情報ファイアルに基づいて、プロモーションサーバ４２−１から送信されたＣＭ素材またはプロモーション素材を、セントラルプロセッシングシステム３に送出させる。
【００５１】
以上のようにして、BCS２０は、SEC-NET-LAN５０を介して、スイッチャ３１を制御することによって、担当チャンネルのルーテイング経路を変更することができる。つまり、放送事業者は、複数のBCS２０をSEC-NET-LAN５０に設けることによって、多チャンネル放送においても、ルーテイング経路の変更を容易に管理することができる。
【００５２】
いまの場合、１つのBCS２０が、３チャンネル分のルーテイング経路を管理するものとしたが（３個のノード２２を有するものとしたが）、このように、数チャンネルのルーテイング経路を管理する小規模なBCS２０を複数配置する構成は、チャンネル数を増す場合、単に、BCS２０を増設することによって対応でき、システムの拡張を容易にする。
【００５３】
１つのBCS２０の担当チャンネルの数は、１つの素材サーバ４１の記録容量によって決められ、通常、素材サーバ４１が約２日分の番組を継続して放送できる記録容量を有するものとして、BCS２０の処理する担当チャンネルの数が設定される。このことは、素材サーバ４１の記憶容量が増えれば、BCS２０の担当チャンネルの数を増やすことができることになるが、BCS２０が多くの担当チャンネルを有すると、上述したシステムを拡張する際、手間がかかる。
【００５４】
なお、上記したような処理を行うコンピュータプログラムをユーザに提供する提供媒体としては、磁気デイスク、CD-ROM、固定メモリなどの記録媒体の他、ネットワーク、衛星などの通信媒体を利用することができる。
【００５５】
【発明の効果】
本発明によれば、多チャンネル放送におけるルーティング経路の変更管理を容易に行うことができる。
【図面の簡単な説明】
【図１】  本発明を適用したデジタル放送システムの構成例を示すブロック図である。
【図２】図１のBDPS１、ベースバンドシステム２、セントラルプロセッシングシステム３、およびＩＦシステム６との間で取り扱われる情報を説明する図である。
【図３】ベースバンドシステム２のより具体的な構成例を示すブロック図である。
【図４】図３のデジタル放送システムの動作例を示すフローチャートである。
【図５】従来のデジタル放送システムの構成例を示すブロック図である。
【符号の説明】
１  放送番組編成システム，  ２  ベースバンドシステム，  ３  セントラルプロセッシングシステム，  ４  顧客管理システム，  ５  顧客視聴許可システム，  ６  ＩＦシステム，  １０  NMD部，  １１  PGS部，  ２０  BCS，  ２１  コンピュータ，  ２２  ノード，  ２５  トランクLAN，  ３０  BCS-LAN，３１  スイッチャ，  ３２  リダンダントBCS，  ３３  RCC，  ３４  SEC-NETコントローラ，  ３５  NTP，  ４１  素材サーバ，  ４２  プロモーションサーバ，  ５０  SEC-NET-LAN，  ５２  スタジオ装置，  ５３  NET-CUE-DET，  ５４  TCG，  ６０  ベースバンドシステム，  ６１  素材サーバ，  ６２  プロモーションサーバ，  ６３  スイッチャ，  ６４  入力スイッチ，  ６５  出力スイッチ，  ７０  プロセッシングシステム，  ７１  ＩＦシステム
【図１】
0003885218.tif 000002
【図２】
0003885218.tif 000003
【図３】
0003885218.tif 000004
【図４】
0003885218.tif 000005
【図５】
0003885218.tif 000006